(57)【要約】【課題】容易に移動させることができ、点在したゴミ発生場所やゴミ箱から収集したゴミを圧縮して梱包する用途に好適に用いることができる上、圧縮されたゴミを復元させることなく容易に結束することができ、ゴミの圧縮効率が良好で大容量のゴミを一度に梱包することが可能な圧縮梱包装置を提供する。【解決手段】圧縮梱包装置１は、ゴミを収納するための縦長な直方体状の収納部２と、収納部２に収納されたゴミを圧縮するための圧縮手段であるＸリンク式圧縮機構３と、移動機構である車輪４，４・・と、Ｘリンク式圧縮機構３に電源を供給するためのバッテリ等によって構成されている。【選択図】図１
2007308298.tif 000002
【特許請求の範囲】
【請求項１】
被処理物を収納するための収納部と、収納部に収納された被処理物を圧縮するための圧縮手段と、圧縮された被処理物の外周に結束紐を掛け渡すための梱包手段とを有する圧縮梱包装置であって、
前記収納部の底面に移動用の車輪が設けられているとともに、
前記圧縮手段に電源を供給するためのバッテリーが設置されていることを特徴とする圧縮梱包装置。
【請求項２】
前記収納部が、背面板の左右両端縁に沿って側面板を垂直に設けた水平断面コ字状のフレームに、前面板の下端に沿って底板を垂直に設けた鉛直断面Ｌ字状の排出扉を、前記前面板の下端に沿った軸を中心として片開き自在に取り付けたものであるとともに、
前記排出扉の前面板に、結束紐を挿通させるスリットが上下を縦断するように設けられており、かつ、そのスリットの上側に、矩形の扉本体の下端の左右からヒンジ体を突出させた投入扉が、左右のヒンジ体を、前記排出扉の前面板の左右両側面に枢着させた状態で、下端に沿った軸を中心として片開き自在に取り付けられていることを特徴とする請求項１に記載の圧縮梱包装置。
【請求項３】
圧縮された被処理物の復元を抑える復元防止部材が、排出扉の開閉と連動してフレーム内に出没するように取り付けられていることを特徴とする請求項１、または請求項２に記載の圧縮梱包装置。
【発明の詳細な説明】
【技術分野】
【０００１】
本発明は、紙屑、ペットボトル、布屑、スポンジ屑、金属薄板等の軽量廃棄物を、後処理が容易となるように圧縮して荷造り紐等によって結束する圧縮梱包装置に関するものである。
【背景技術】
【０００２】
公共施設やファーストフード店舗等に設置されたゴミ箱は、容積と同程度のゴミしか収納できず、ゴミが満杯になって外にはみ出ると美観を損なうため、定期的に見回って満杯になっていないか確認する必要がある。また、いつ満杯になるか予測し難いため、頻繁に見回って確認する必要がある。そのような不具合を解消すべく、ゴミを収納する直方体状のフレームの内部の上方に、Ｘ型のリンク機構によりゴミ抑え手段を上下させるゴミ圧縮手段を設けたゴミ圧縮機能付きゴミ箱が考案されている（特許文献１）。かかるゴミ圧縮機能付きゴミ箱によれば、適宜のタイミングで収納されたゴミを圧縮することができるため、従来より多くのゴミを収納することができ、ゴミの回収回数およびゴミ袋の交換回数を減少させることが可能となる。
【０００３】
【特許文献１】特許第３６６７８７３号公報
【発明の開示】
【発明が解決しようとする課題】
【０００４】
しかしながら、上記従来のゴミ圧縮機能付きゴミ箱は、移動させることができないため、点在したゴミ箱から収集したゴミを圧縮して梱包する用途には不向きである。また、上記従来のゴミ圧縮機能付きゴミ箱は、ゴミ抑え手段を上昇させた後に、圧縮されたゴミの入ったゴミ容器をフレームから引き出し、そのゴミ容器内からゴミを取り出して結束する構造であるため、ゴミ抑え手段が上昇した時点で圧縮されたゴミが復元してしまうので、ゴミの圧縮効率が悪く、大容量のゴミを一度に梱包することはできなかった。
【０００５】
本発明の目的は、上記従来のゴミ圧縮機能付きゴミ箱の有する問題点を解消し、容易に移動させることができ、点在したゴミ箱から収集したゴミを圧縮して梱包する用途に好適に用いることができる上、圧縮されたゴミを復元させることなく容易に結束することができ、ゴミの圧縮効率が良好で大容量のゴミを一度に梱包することが可能な圧縮梱包装置を提供することにある。
【課題を解決するための手段】
【０００６】
かかる本発明の内、請求項１に記載された発明の構成は、被処理物を収納するための収納部と、収納部に収納された被処理物を圧縮するための圧縮手段と、圧縮された被処理物の外周に結束紐を掛け渡すための梱包手段とを有する圧縮梱包装置であって、前記収納部の底面に移動用の車輪が設けられているとともに、前記圧縮手段に電源を供給するためのバッテリーが設置されていることにある。
【０００７】
請求項２に記載された発明の構成は、請求項１に記載された発明において、前記収納部が、背面板の左右両端縁に沿って側面板を垂直に設けた水平断面コ字状のフレームに、前面板の下端に沿って底板を垂直に設けた鉛直断面Ｌ字状の排出扉を、前記前面板の下端に沿った軸を中心として片開き自在に取り付けたものであるとともに、前記排出扉の前面板に、結束紐を挿通させるスリットが上下を縦断するように設けられており、かつ、そのスリットの上側に、矩形の扉本体の下端の左右からヒンジ体を突出させた投入扉が、左右のヒンジ体を、前記排出扉の前面板の左右両側面に枢着させた状態で、下端に沿った軸を中心として片開き自在に取り付けられていることにある。
【０００８】
請求項３に記載された発明の構成は、請求項１、または請求項２に記載された発明において、圧縮された被処理物の復元を抑える復元防止部材が、排出扉の開閉と連動してフレーム内に出没するように取り付けられていることにある。
【発明の効果】
【０００９】
請求項１に記載された圧縮梱包装置は、移動用の車輪が設けられているとともに、圧縮手段に電源を供給するためのバッテリーが設置されているため、点在するゴミ（被処理物）の発生場所に容易に移動させることができ、それらのゴミの発生場所から収集したゴミを圧縮して梱包する用途に好適に用いることができる。また、移動しながら同時にゴミを圧縮することもできるので、短時間の内により多くのゴミを圧縮梱包することが可能となる。したがって、請求項１に記載された圧縮梱包装置によれば、効率の良いゴミ処理システムを構築することができる。
【００１０】
請求項２に記載された圧縮梱包装置によれば、排出扉を全開した状態で、ゴミ投入前の結束紐のセット作業を容易に行うことができる。その上、ゴミを投入した後に投入扉を開いて後方から結束紐を引き出し、その結束紐をスリットに導き入れることにより、圧縮した状態のゴミ（ベール）を容易に結束することができる。したがって、ベールの嵩密度が高くなり、圧縮による減容率がきわめて高くなるので、非常に大容量のゴミを一度に圧縮梱包することが可能となる。また、請求項２に記載された圧縮梱包装置は、圧縮板を上限位置まで上昇させて結束紐を結束してから内圧のない状態で排出扉を開く構造になっているので、作業者は、圧縮されたゴミの飛散等を危惧することなく、安心してベールを取り出すことができる。
【００１１】
請求項３に記載された圧縮梱包装置は、圧縮されたゴミの復元を復元防止部材によって効果的に抑えることができるため、非常に大容量のゴミを一度に圧縮梱包することができる。また、復元防止部材が排出扉と連動してフレーム内に出没するため、復元防止部材のセットを忘れることにより圧縮されたゴミが復元する事態や、復元防止部材のリセットを忘れることによりベールの取り出し時にベールが復元防止部材に引っ掛かってスムーズに取り出せなくなる事態が生じない。
【発明を実施するための最良の形態】
【００１２】
以下、本発明の圧縮梱包装置の一例を、図面に基いて詳細に説明する。図１〜図３は、それぞれ、圧縮梱包装置の正面、右側面、平面を示したものであり、図４は、図１におけるＡ−Ａ線切断面の様子を一部省略して示したものである。圧縮梱包装置１は、ゴミを収納するための縦長な直方体状の収納部２と、収納部２に収納されたゴミを圧縮するための圧縮手段であるＸリンク式圧縮機構３と、移動機構である車輪４，４・・と、Ｘリンク式圧縮機構３に電源を供給するためのバッテリ５等によって構成されている。
【００１３】
収納部２は、前面を開放した直方体状のフレーム６の前方に、排出扉７を、下端縁に沿った軸を中心として前方へ片開き可能に設けたものである。図４の如く、フレーム６は、背面板４２の左右両端縁に沿って側面板４３，４３を垂直に設けたものであり、水平断面がコ字状になっている。
【００１４】
また、図５は、排出扉７を前方へ片開きした状態を示したものである。排出扉７は、縦長の長方形状の前面板７の下端縁に沿って、幅広な長方形状の底板９を垂直に接合したものであり、鉛直断面が略Ｌ字状になっている。図１の如く、前面板８の上部の左右両端縁際には、排出扉７を開閉させる際に利用するハンドル１２，１２が設けられている。そして、右側のハンドル１２の内側には、前面板８をフレーム６に係止させる鉤状部材４０を上下動させて排出扉７のロックを解除するためのリリースレバー１３が設けられている。加えて、前面板８の下部（投入扉１０の設置部分より下側）には、結束紐を挿通させるための２本のスリット１４，１４が設けられており、前面板８の下部を上下に縦断した状態になっている。また、前面板８の略中央には、棒状の補強部材３２が水平に設置されており、その補強部材３２の前面で各スリットの１４，１４の前方に相当する位置には、結束紐を一時的にクランプするための紐クランプ４１，４１が設置されている。
【００１５】
また、排出扉７の前面板８の上部には、矩形の扉本体４４の下端の左右からヒンジ体４５，４５を突出させた投入扉１０が、左右のヒンジ体４５，４５を排出扉７の前面板８の左右両側面に枢着させた状態で、下端縁に沿った軸を中心として前方へ片開き可能に設けられている（図４等参照）。なお、かかる投入扉１０の取付構造によって、投入扉１０を開放した場合に、排出扉７の前面板８に設けられたスリット１４，１４の位置を上方から確認することができる。また、投入扉１０の略中央には、開閉用のハンドル１１が突設されている。加えて、排出扉７の前面板８の内側（投入扉１０の設置部分の下側）には、圧縮されたゴミの復元を抑制するための三角形状の復元防止体１５が、下端縁を水平に配置させた状態で固定されている。さらに、排出扉７の底板９の後端際には、結束紐を一時的に係止させておくための紐クランプ２３が設置されている。
【００１６】
一方、フレーム６の底板３９の四隅のコーナー際には、それぞれ、自在キャスタを介して車輪４，４・・が回転自在に取り付けられている。また、後方の車輪４，４の内側には、それぞれ、支持板１６，１６が設けられている。そして、排出扉７を全開する際に排出扉７およびベールとの重力によるモーメントを緩和するための釣り合いバネ１７，１７が、両端を、それぞれ、支持板１６と排出扉７の底板９とに係止させた状態で取り付けられている。さらに、フレーム６の底板３９の前端面には、結束紐を一時的に係止させておくための紐フック３８が設置されている。
【００１７】
また、フレーム６の内部の上方には、圧縮手段であるＸリンク式圧縮機構３が取り付けられている（図１参照）。駆動Ｘリンク式圧縮機構３は、電動ネジシリンダ１８、Ｘ型アーム１９、圧縮板２０によって構成されており、電動ネジシリンダ１８への電源供給により、電動ネジシリンダ１８の軸を退入位置から突出させて、Ｘ型アーム１９を構成する２本のアーム１９ａ，１９ｂと圧縮板２０とのなす角を次第に増大させることによって、圧縮板２０を水平に保持しつつ下方へ押し下げることができるようになっている。
【００１８】
一方、フレーム６の背面には、結束紐を挿通させるための鉛直な２本のガイド溝２２，２２が、外側へ突出するように設けられている（図４、図５参照）。また、各ガイド溝２２，２２の略中央（排出扉７の前面板８の内側に設置された復元防止体１５と対峙する位置）には、圧縮されたゴミの復元を抑制するための三角形状の復元防止部材２４が、上端際を中心として回動自在に取り付けられている。図６の如く、復元防止部材２４には、くの字状に折れ曲がった案内溝２５が設けられている。また、２本のガイド溝２２，２２の内部には、長尺な作動棹２６が設置されている。作動棹２６の上端際には、支持ピン２７が水平方向へ突設されており、作動棹２６の下端際には、切欠２８が設けられている。かかる作動棹２６は、支持ピン２７を復元防止部材２４の案内溝２５に嵌め込み、上端をバネ２９を介してガイド溝２２内に固定し、切欠２８を排出扉７の底板９の紐クランプ２３と係合させた状態で、上下にスライド自在に設置されている。
【００１９】
また、フレーム６の下端際の後方には、平板状のバッテリーベース３０が水平に突出するように取り付けられており、そのバッテリーベース３０の上側には、開閉式のカバーを有する収納ボックス３１が取り付けられている。そして、その収納ボックス３１内には、バッテリー５が設置されている。バッテリー５は、フレーム６の背面に配設されたリード線（図示略）によって、Ｘリンク式圧縮機構３の電動ネジシリンダ１８と接続された状態になっている。また、収納ボックス３１の右側には充電器３３が設置されており、バッテリー５と接続された状態になっている。
【００２０】
一方、フレーム６の上方は、カバー３４で覆われており、そのカバー３４の前端際には、Ｘリンク式圧縮機構３を作動させるためのプッシュボタン３５等を配置した操作パネル（図示略）が設置されている。また、カバー３４の後端際には、紐収納ボックス３６が設置されており、その紐収納ボックス３６の内部には、結束紐２１を捲回した２本の紐リール３７，３７が収納されている。
【００２１】
以下、本発明の圧縮梱包装置１を用いた被処理物（ゴミ等）の圧縮・梱包作業について説明する。
【００２２】
圧縮梱包装置１を作動させる場合には、作業者は、まず、図５の如く排出扉７を開いた状態で、紐リール３７から垂れ下がっている結束紐２１を下前方へ引き出す。そして、引き出した結束紐２１の中間部分を排出扉７の底板９の紐クランプ２３にクランプし、結束紐２１の先端を排出扉７のスリット１４から排出扉７（前面板８）の下端まで導く。そして、その状態で排出扉７を閉じる（下端縁を中心として後方へ倒す）。そのように排出扉７を閉じると、前面板８の内側に設けられた鉤状部材４０がフレーム６と係合することによって排出扉７がロックされる。排出扉７を閉じた後には、排出扉７の前方に垂れ下がっている結束紐２１の先端を、フレーム６の底板３９の前端面に設けられた紐フック３８に係止させる。なお、上記した結束紐２１の引き出し、および、紐クランプ２３、紐フック３８への係止を、左右の各紐リール３７，３７に捲回された各結束紐２１，２１について行う。
【００２３】
上記の如く、排出扉７の底板９を縦断するように各結束紐２１，２１を配置させた後には、収納部２内へのゴミの投入が可能となる。ゴミの投入は、図７の如く、投入扉１０を開いた状態（下端縁を中心として前方へ片開きした状態）で行う。ゴミを投入した後に、投入扉１０を閉じてプッシュボタン３５を押すと、Ｘリンク式圧縮機構３が作動して、電動ネジシリンダ１８によってＸ型アーム１９のアーム１９ａ，１９ｂが次第に起立状態となり、圧縮板２０が下方へ押し下げられることによって、フレーム６内に収納されたゴミが圧縮される。かかる圧縮動作を完了すると、圧縮板２０は上限位置まで上昇して停止する。なお、圧縮板２０が上昇すると、圧縮されたゴミは、元の形状に復元しようとするが、圧縮されたゴミの前後位置において、復元防止体１５および復元防止部材２４がゴミの復元を抑制するので、ゴミは圧縮された状態で保持される。それゆえ、一旦圧縮させた後も多くのゴミを投入することができる。
【００２４】
なお、Ｘリンク式圧縮機構３は、圧縮板２０によるゴミの圧縮動作中には、圧縮板２０が下限まで下降して下限リミットスイッチ（図示略）を検知し、圧縮板２０を上限位置まで上昇させるようになっている。上記の如き圧縮板２０によるゴミの圧縮およびゴミの投入を数回に亘って繰り返すと、電動ネジシリンダ１８を流れる電流の値が閾値を超えるため、圧縮板２０は上限位置まで上昇して停止する。なお、その際には、カバー３４の操作パネルに設けられた梱包ランプ（図示略）が点灯する。
【００２５】
上記したように圧縮されたゴミでフレーム６内が満杯になった後には、投入扉１０を開けてフレーム６の背面のガイド溝２２の内部に位置した結束紐２１の中間部分を、手で掴んで手前側に引き出し、カッター等の工具を用いてカットする。しかる後、カットした結束紐２１の先端を、排出扉７のスリット１４（補強部材２３の下側の部分）に差し込む。そして、投入扉１０を閉じて、排出扉７のスリット１４に差し込んだ結束紐２１を、補強部材２３に設けられた紐クランプ４１にクランプする。その状態でプッシュボタン３５を押すと圧縮板２０が再度下降して下限位置にて停止し、ゴミが圧縮された状態で保持される。そのように圧縮板２０が下限位置で停止した後には、カット後の結束紐２１の端部を紐クランプ４１から取り外すとともに、先にフレーム６の底板３９の前端面の紐フック３８に係止されていた結束紐２１の他端を紐フック３８から取り外し、それらの結束紐２１の端部同士を結束する。なお、上記した結束紐２１の引き出し、カット、および、結束を、左右の各紐リール３７，３７に捲回された各結束紐２１，２１について行う。かかる結束紐２１，２１の結束によって、圧縮されたゴミ（ベール）の結束作業を完了する。
【００２６】
そのようにベールの結束作業を終了した後には、再度プッシュボタン３５を押すことによって圧縮板２０を上昇させる。そして、圧縮板２０を上限位置まで上昇させた後には、ハンドル１２を握りリリースレバー１３を押し込むことによって、排出扉７のロックを解除し、ハンドル１２を手前側に引き出すようにして排出扉７を全開する（図５参照）。
【００２７】
排出扉を全開する際には、図６の如く、排出扉７の底板９の回転（前端縁を中心とした回転）に伴い、底板９の先端に設けられた紐クランプ２３が、作動棹２６の下端際に設けられた切欠２８を上側に押し上げ、作動棹２６がガイド溝２２に沿って上昇し、支持ピン２７を押し上げるため、その支持ピン２７の上昇に案内されるようにして復元防止部材２４が回転してフレーム６の外部へ突出し（図６（ｂ）の状態）、ベールと復元防止部材２４との係合状態が解除される。したがって、結束されたベールをフレーム６外にスムーズに導き出すことができる。
【００２８】
また、排出扉７を全開する際には、排出扉７とフレーム６の底板３９との間に取り付けられた釣り合いバネ１７によって、排出扉７およびベールの重量による回転モーメントがきわめて小さく抑えられる。したがって、作業者は、僅かな力で排出扉７を全開して、ベールを取り出すことができる。
【００２９】
さらに、圧縮梱包装置１は、自在キャスターを介してフレーム６の底板３９に固定された４個の車輪４，４・・を利用して、任意の場所に容易に移動させることができる。また、外部電源を充電したバッテリー５により、移動中においてもＸリンク式圧縮機構３を作動させて圧縮板３０を昇降させることができる。
【００３０】
圧縮梱包装置１は、上記の如く、移動用の車輪４，４・・が設けられているとともに、圧縮手段に電源を供給するためのバッテリーが設置されているため、点在するゴミ（被処理物）の発生場所に容易に移動させることができ、それらのゴミの発生場所から収集したゴミを圧縮して梱包する用途に好適に用いることができる。加えて、移動しながら同時にゴミを圧縮することもできるので、短時間の内により多くのゴミを圧縮梱包することができる。
【００３１】
また、圧縮梱包装置１は、水平断面コ字状のフレーム６に鉛直断面Ｌ字状の排出扉７が下端縁に沿って片開き自在に取り付けられているとともに、排出扉７の前面板８にスリット１４，１４が設けられており、ゴミ投入用の投入扉１０が左右のヒンジ体４５，４５を前面板８の左右両側面に枢着させた状態で片開き自在に取り付けられている。それゆえ、圧縮梱包装置１によれば、排出扉７を全開した状態で、ゴミ投入前の結束紐２１，２１のセット作業を容易に行うことができる。その上、投入扉１０を開放すると、排出扉７の前面板８に設けられたスリット１４，１４の位置を上方から確認することができるので、ゴミを投入した後に投入扉１０を開いて後方から結束紐２１，２１を引き出し、それらの結束紐２１，２１を容易にスリット１４，１４に導き入れることができ、圧縮した状態のゴミを容易に結束することができる。したがって、圧縮梱包装置１によれば、ベールの嵩密度が高くなり、圧縮による減容率がきわめて高くなるので、非常に大容量のゴミを一度に圧縮梱包することが可能となる。また、圧縮梱包装置１は、圧縮板２０を上限位置まで上昇させて結束紐２１，２１を結束してから内圧のない状態で排出扉７を開く構造になっているので、作業者は、圧縮されたゴミの飛散等を危惧することなく、安心してベールを取り出すことができる。
【００３２】
さらに、圧縮梱包装置１は、圧縮されたゴミの復元を復元防止体１５および復元防止部材２４によって効果的に抑えることができるため、非常に大容量のゴミを一度に圧縮梱包することができる。また、復元防止部材２４が排出扉７と連動してフレーム６内に出没するため、復元防止部材２４のセットを忘れることにより圧縮されたゴミが復元する事態や、復元防止部材２４のリセットを忘れることによりベールの取り出し時にベールが復元防止部材２４に引っ掛かってスムーズに取り出せなくなる事態が生じない。
【００３３】
なお、本発明の圧縮梱包装置の構成は、上記実施形態の態様に何ら限定されるものではなく、収納部、圧縮手段、バッテリー、フレーム、排出扉、投入扉、復元防止部材等の構成を、本発明の趣旨を逸脱しない範囲で適宜変更することができる。
【００３４】
たとえば、圧縮手段は、２つのアームを単純にＸ型に組み付けたＸ型アームを利用したものに限定されず、２つのＸ型アームを上下に連結した伸縮機構を利用したものに変更することも可能である。また、本発明の圧縮梱包装置は、上記実施形態の如く、左右２箇所においてベールを結束するものに限定されず、１箇所のみでベールを結束するものや、３箇所以上においてベールを結束するものに変更することも可能である。さらに、上記実施形態の如く、１つのみの収納部を設けたものに限定されず、２つ以上の収納部を併設したものに変更することも可能である。
【００３５】
また、バッテリーの設置位置は、フレームの後方に限定されず、カバーの上方等の別の位置に変更することも可能である。加えて、本発明の圧縮梱包装置は、手動によって移動させるものに限定されず、車輪に駆動機構が設けられたものに変更することも可能である。かかる構成を採用する場合には、駆動装置へ電源を供給するバッテリーを圧縮手段へ電源を供給するバッテリーと兼用させることも可能である。
【産業上の利用可能性】
【００３６】
本発明の圧縮梱包装置は、上記の如く優れた効果を奏するものであるので、公共施設やファーストフード店舗等において発生するゴミの圧縮梱包装置として好適に用いることができる。
【図面の簡単な説明】
【００３７】
【図１】圧縮梱包装置の正面図（部分透視図）である。
【図２】圧縮梱包装置の右側面図である。
【図３】圧縮梱包装置の平面図である。
【図４】図１におけるＡ−Ａ線断面を示す説明図（投入扉を開放した状態）である。
【図５】排出扉を開いた状態の圧縮梱包装置の右側面図である。
【図６】復元防止部材の設置部分を示す説明図である。
【図７】投入扉を開いた状態の圧縮梱包装置の右側面図である。
【符号の説明】
【００３８】
１・・圧縮梱包装置、２・・収納部、３・・Ｘリンク式圧縮機構（圧縮手段）、５・・バッテリー、７・・排出扉、８・・前面板、９・・底板、１０・・投入扉、１４・・スリット、２１・・結束紐、２４・・復元防止部材、４２・・背面板、４３・・側面板、４４・・扉本体、４５・・ヒンジ体。    
【図１】
2007308298.tif 000003
【図２】
2007308298.tif 000004
【図３】
2007308298.tif 000005
【図４】
2007308298.tif 000006
【図５】
2007308298.tif 000007
【図６】
2007308298.tif 000008
【図７】
2007308298.tif 000009